(57)【要約】【課題】  部品点数が少なくクランパを所定位置に容易に組み込むこと。【解決手段】  ローダーシャーシの両側板間に架設した横桁の中央に円筒部１０が一体形成されると共に、該円筒部１０の内周面下部に環状受座１１が一体形成され、その円筒部１０の内周面の環状受座１１よりも上方位置に周方向所定間隔をおいて複数のストッパ２１が一体突設され、該各ストッパ２１に対向してクランパ１２の鍔部１２ａに複数の凹部２２が形成され、各凹部２２の奥端面２２ａに弾性片２３が一体突設されており、弾性片２３を各ストッパ２１の傾斜状外側面２１ａに押し付けて弾性変位させることにより各凹部２２を各ストッパ２１に嵌合通過させて、クランパ１２の鍔部１２ａが環状受座１１と各ストッパ２１との間のスペースＳ内に一定範囲内昇降可能に配置されることを許容し該クランパ１２の鍔部１２ａがスペースＳ外に抜け出るのを弾性片２３で阻止する。【選択図】        図４
2009272012.tif 000002
【特許請求の範囲】
【請求項１】
ローダーシャーシ内に光ピックアップとターンテーブルとが配置され、該ターンテーブ
ルに対向してローダーシャーシの両側板間に架設した横桁の中央に円筒部が一体形成され
ると共に、該円筒部の内周面下部に環状受座が一体形成され、該環状受座の中央孔にクラ
ンパが昇降可能に挿通されると共に、該クランパの上端に一体形成した鍔部が前記環状受
座に対向されており、該クランパとターンテーブルとでディスクをクランプし、該ターン
テーブルによりディスクを高速回転させ、そのディスクに記録されている情報を光ピック
アップにより読み取るようにしたディスク装置において、前記円筒部の内周面の環状受座
よりも上方位置に周方向所定間隔をおいて複数のストッパが一体突設され、該各ストッパ
と環状受座との間に鍔部の厚さよりも大きい間隔のスペースが形成され、前記各ストッパ
に対向して鍔部に複数の凹部が形成され、該各凹部を各ストッパに嵌合通過させてクラン
パの鍔部がスペース内に一定範囲内昇降可能に配置されることを許容し且つそのクランパ
の鍔部がスペース外に抜け出るのを阻止する抜け止め機構がクランパ及び円筒部の一方ま
たはその両方に付加されていることを特徴とするディスク装置。
【請求項２】
前記抜け止め機構が各凹部の奥端面に一体突設した弾性片を有し、該弾性片から各凹部
の両内側面までの間隔が各ストッパの下端面の横幅よりも小さく設定されると共に、前記
各凹部の横幅が各ストッパの下端面の横幅よりも大きく設定され、各ストッパの両外側面
が上方に向かって先すぼまり状に傾斜されており、弾性片を各ストッパの傾斜状外側面に
押し付けて弾性変位させることにより、各凹部を各ストッパに嵌合通過させてクランパの
鍔部が前記スペース内に一定範囲内昇降可能に配置されることを許容し且つそのクランパ
の鍔部がスペース外に抜け出るのを弾性片で阻止することを特徴とする請求項１に記載の
ディスク装置。
【請求項３】
前記抜け止め機構が前記各ストッパの中央に形成されて該各ストッパを弾性変位可能に
するスリットを有し、前記各凹部の横幅が各ストッパの下端面の横幅よりも小さく設定さ
れ、その各ストッパの両外側面が上方に向かって先すぼまり状に傾斜されており、各凹部
の両内側面を各ストッパの両傾斜状外側面に押し付けて該各ストッパを内側に弾性変位さ
せることにより、各凹部を各ストッパに嵌合通過させてクランパの鍔部が前記スペース内
に一定範囲内昇降可能に配置されることを許容し且つそのクランパの鍔部がスペース外に
抜け出るのを各ストッパで阻止することを特徴とする請求項１に記載のディスク装置。
【請求項４】
前記抜け止め機構が前記各ストッパの中央に形成されて該各ストッパを弾性変位可能に
するスリットを有し、前記各凹部の横幅が各ストッパの下端面の横幅よりも小さく設定さ
れ、その各凹部の両内側面が上方に向かって先すぼまり状に傾斜されており、各凹部の両
傾斜状内側面を各ストッパの外側面に押し付けて該各ストッパを内側に弾性変位させるこ
とにより、各凹部を各ストッパに嵌合通過させてクランパの鍔部が前記スペース内に一定
範囲内昇降可能に配置されることを許容し且つそのクランパの鍔部がスペース外に抜け出
るのを各ストッパで阻止することを特徴とする請求項１に記載のディスク装置。
【請求項５】
前記抜け止め機構が、各凹部の奥端面に一体突設した弾性片と、前記各ストッパの中央
に形成されて該各ストッパを弾性変位可能にするスリットとを有し、弾性片から各凹部の
両内側面までの間隔が各ストッパの下端面の横幅よりも小さく設定されると共に、前記各
凹部の横幅が各ストッパの下端面の横幅よりも大きく設定され、その各ストッパの両外側
面が上方に向かって先すぼまり状に傾斜されており、弾性片を各ストッパの傾斜状外側面
に押し付けて該弾性片と各ストッパとを弾性変位させることにより、各凹部を各ストッパ
に嵌合通過させてクランパの鍔部が前記スペース内に一定範囲内昇降可能に配置されるこ
とを許容し且つそのクランパの鍔部がスペース外に抜け出るのを弾性片で阻止することを
特徴とする請求項１に記載のディスク装置。
【発明の詳細な説明】
【技術分野】
【０００１】
本発明は、例えばＤＶＤレコーダやＤＶＤプレーヤなどのディスク装置に関し、特に、
部品点数が少なくクランパを所定位置に容易に組み込むことができるようにしたものであ
る。
【背景技術】
【０００２】
従来、ディスク装置の一例として図１５及び図１６に示すものがあり、図１５は同平面
図、図１６は同縦断面図である。
【０００３】
図１５及び図１６に示すように、ディスクＤ載置用トレイ１を前後進ａ，ｂ可能に支持
する合成樹脂製ローダーシャーシ２と、該ローダーシャーシ２内に上下動ｃ，ｄ可能に配
置されて光ピックアップ３及びターンテーブル４付きスピンドルモータ５を搭載したトラ
バースシャーシ６とを有し、ローダーシャーシ２の前部にカムスライダ７が前後進ａ，ｂ
方向とは直交する左右方向ｅ，ｆに移動可能に配置され、該カムスライダ７に形成したカ
ム溝８ａとトラバースシャーシ６の前部に突設されてカム溝８ａに嵌入するカム軸８ｂと
からなるカム機構８によりそのカムスライダ７とトラバースシャーシ６とが連動連結され
、ローダーシャーシ２の両側板２ａ間に架設した横桁９の中央に円筒部１０が一体形成さ
れると共に、該円筒部１０の内周面下部に環状受座１１が一体形成され、該環状受座１１
の中央孔１１ａにクランパ１２が昇降可能に挿通されると共に、該クランパ１２の上端に
一体形成した鍔部１２ａが環状受座１１に対向されている。なお、図１６中、１３はクラ
ンパ１２に設けたマグネットであって、ターンテーブル４のヨーク（図示せず）に磁気吸
引力を作用させる。
【０００４】
図１５及び図１６に示すように、前記ローダーシャーシ２の両側板２ａの上端の横桁９
よりも後側に所定間隔をおいて複数（この例では２つ）の係止片１５が一体突設され、該
各係止片１５に対向して金属板製遮蔽板１６の両側縁に所定間隔をおいて複数（この例で
は２つ）の係止孔１７が貫設され、該各係止孔１７を各係止片１５に係合させることによ
り、遮蔽板１６がローダーシャーシ２の上面の横桁９よりも後部に被せられている。
【０００５】
情報読取手順を説明すると、図１６に実線で示すプレイモードでは、ディスクＤをター
ンテーブル４とクランパ１２とでクランプしており、スピンドルモータ５によりターンテ
ーブル４を介してディスクＤを高速回転させ、光ピックアップ３の対物レンズＯＬからレ
ーザ光をディスクＤに投射し、その反射光を対物レンズＯＬを通して受光することにより
、ディスクＤに記録されている映像情報の再生や録画を行う。また、遮蔽板１６により対
物レンズＯＬから投射されるレーザ光が外部に漏れるのを遮断する。
【０００６】
アンローディング信号が入力されると、スピンドルモータ５の駆動を停止させ、光ピッ
クアップ３をターンテーブル４に接近させ、カムスライダ７を矢印ｅ（またはｆ）方向に
スライドさせることにより、カム機構８を介してトラバースシャーシ６を下動ｄさせ、こ
れにより、ディスクＤをトレイ１上に載置し、該トレイ１を前進ａさせ（図１６仮想線参
照）、そのトレイ１上のディスクＤを取り外したり新しいディスクＤをトレイ１上に載置
した後、ローディング信号に基づいて上記とは逆の手順でプレイモードに戻す。
【０００７】
前記遮蔽板１６の前端中央に略Ｌ字状の抜け止め片１８が一体突設されており、該抜け
止め片１８の先端を円筒部１０に形成した凹溝部１９に嵌入させることにより、その抜け
止め片１８で円筒部１０の上面中央を塞いで、該円筒部１０内に収納されているクランパ
１２がその円筒部１０外に抜け出るのを阻止する。
【０００８】
上記構成によれば、遮蔽板１６をローダーシャーシ２に係止すると同時に、抜け止め片
１８の先端を凹溝部１９に嵌入させるのに比較的手間がかかって面倒である。また、図１
６に仮想線で示すように、抜け止め片１８が大きく弾性変位されている場合、その大きく
弾性変位している抜け止め片１８を強制的に曲げてその先端を凹溝部１９に嵌入させると
、その強制折り曲げによる負荷が横桁９にかかるため、該横桁９が撓んでクランパ１２が
所定位置からずれてそのクランプ機能が阻害されるおそれがある。
【０００９】
上記難点を解消する技術として特許文献１に記載したものがある。これは、クランパ１
２がマグネット１３を間に挟んで互いに嵌合可能なクランパ本体と抜け止め部品とからな
り、そのクランパ本体を横桁９の貫通孔に挿通し、該クランパ本体の下端に抜け止め部品
を取り付けることにより、その横桁９にクランパ１２が一定範囲内昇降可能に配置されて
いる。
【特許文献１】特開２００８−５２８５１号公報
【発明の開示】
【発明が解決しようとする課題】
【００１０】
特許文献１に記載の技術では、クランパ１２の組み込みが容易であり、その組み込みに
より横桁９が撓ませられることがないので、該クランパ１２を所定位置に保持することが
できるが、そのクランパ１２がクランパ本体と抜け止め部品との２部品からなり、その部
品点数が多いから、コストアップになる。
【００１１】
本発明は、上記従来の欠点に鑑み、部品点数が少なくクランパを所定位置に容易に組み
込むことができるようにしたディスク装置を提供することを目的としている。
【課題を解決するための手段】
【００１２】
上記目的を達成するため、請求項１に記載の発明は、ローダーシャーシ内に光ピックア
ップとターンテーブルとが配置され、該ターンテーブルに対向してローダーシャーシの両
側板間に架設した横桁の中央に円筒部が一体形成されると共に、該円筒部の内周面下部に
環状受座が一体形成され、該環状受座の中央孔にクランパが昇降可能に挿通されると共に
、該クランパの上端に一体形成した鍔部が前記環状受座に対向されており、該クランパと
ターンテーブルとでディスクをクランプし、該ターンテーブルによりディスクを高速回転
させ、そのディスクに記録されている情報を光ピックアップにより読み取るようにしたデ
ィスク装置において、前記円筒部の内周面の環状受座よりも上方位置に周方向所定間隔を
おいて複数のストッパが一体突設され、該各ストッパと環状受座との間に鍔部の厚さより
も大きい間隔のスペースが形成され、前記各ストッパに対向して鍔部に複数の凹部が形成
され、該各凹部を各ストッパに嵌合通過させてクランパの鍔部がスペース内に一定範囲内
昇降可能に配置されることを許容し且つそのクランパの鍔部がスペース外に抜け出るのを
阻止する抜け止め機構がクランパ及び円筒部の一方またはその両方に付加されていること
を特徴としている。
【００１３】
請求項２に記載の発明は、請求項１に記載の発明において、前記抜け止め機構が各凹部
の奥端面に一体突設した弾性片を有し、該弾性片から各凹部の両内側面までの間隔が各ス
トッパの下端面の横幅よりも小さく設定されると共に、前記各凹部の横幅が各ストッパの
下端面の横幅よりも大きく設定され、各ストッパの両外側面が上方に向かって先すぼまり
状に傾斜されており、弾性片を各ストッパの傾斜状外側面に押し付けて弾性変位させるこ
とにより、各凹部を各ストッパに嵌合通過させてクランパの鍔部が前記スペース内に一定
範囲内昇降可能に配置されることを許容し且つそのクランパの鍔部がスペース外に抜け出
るのを弾性片で阻止することを特徴としている。
【００１４】
請求項３に記載の発明は、請求項１に記載の発明において、前記抜け止め機構が前記各
ストッパの中央に形成されて該各ストッパを弾性変位可能にするスリットを有し、前記各
凹部の横幅が各ストッパの下端面の横幅よりも小さく設定され、その各ストッパの両外側
面が上方に向かって先すぼまり状に傾斜されており、各凹部の両内側面を各ストッパの両
傾斜状外側面に押し付けて該各ストッパを内側に弾性変位させることにより、各凹部を各
ストッパに嵌合通過させてクランパの鍔部が前記スペース内に一定範囲内昇降可能に配置
されることを許容し且つそのクランパの鍔部がスペース外に抜け出るのを各ストッパで阻
止することを特徴としている。
【００１５】
請求項４に記載の発明は、請求項１に記載の発明において、前記抜け止め機構が前記各
ストッパの中央に形成されて該各ストッパを弾性変位可能にするスリットを有し、前記各
凹部の横幅が各ストッパの下端面の横幅よりも小さく設定され、その各凹部の両内側面が
上方に向かって先すぼまり状に傾斜されており、各凹部の両傾斜状内側面を各ストッパの
外側面に押し付けて該各ストッパを内側に弾性変位させることにより、各凹部を各ストッ
パに嵌合通過させてクランパの鍔部が前記スペース内に一定範囲内昇降可能に配置される
ことを許容し且つそのクランパの鍔部がスペース外に抜け出るのを各ストッパで阻止する
ことを特徴としている。
【００１６】
請求項５に記載の発明は、請求項１に記載の発明において、前記抜け止め機構が、各凹
部の奥端面に一体突設した弾性片と、前記各ストッパの中央に形成されて該各ストッパを
弾性変位可能にするスリットとを有し、弾性片から各凹部の両内側面までの間隔が各スト
ッパの下端面の横幅よりも小さく設定されると共に、前記各凹部の横幅が各ストッパの下
端面の横幅よりも大きく設定され、その各ストッパの両外側面が上方に向かって先すぼま
り状に傾斜されており、弾性片を各ストッパの傾斜状外側面に押し付けて該弾性片と各ス
トッパとを弾性変位させることにより、各凹部を各ストッパに嵌合通過させてクランパの
鍔部が前記スペース内に一定範囲内昇降可能に配置されることを許容し且つそのクランパ
の鍔部がスペース外に抜け出るのを弾性片で阻止することを特徴としている。
【発明の効果】
【００１７】
請求項１に記載の発明によれば、クランパを円筒部内に挿入し、該クランパの鍔部の各
凹部を円筒部の各ストッパに嵌合通過させるだけで、そのクランパの鍔部を環状受座と各
ストッパとの間のスペース内に一定範囲内昇降可能に配置することができるものであって
、クランパの組み込み作業を迅速容易に行うことができる。
【００１８】
また、クランパの鍔部が前記スペース外に抜け出るのを阻止する抜け止め機構がクラン
パ及び円筒部の一方またはその両方に付加されており、部品点数が増加せず、コストダウ
ンを図ることができる。
【００１９】
更に、クランパを円筒部内に組み込んでも該円筒部を支持する横桁に負荷がかからない
から、そのクランパを所定位置に保持してそのクランプ機能を良好に維持することができ
る。
【００２０】
請求項２に記載の発明によれば、請求項１に記載の効果と同様の効果を得ることができ
、特に、抜け止め機構として各凹部の奥端面に弾性片が一体突設されているから、その弾
性片を各ストッパの傾斜状外側面に押し付けて弾性変位させることにより、クランパの鍔
部をスペース内に一定範囲内昇降可能に配置することができると共に、その弾性片により
クランパの鍔部がスペース外に抜け出るのを確実に阻止することができる。
【００２１】
請求項３に記載の発明によれば、請求項１に記載の効果と同様の効果を得ることができ
、特に、抜け止め機構として各ストッパの中央に形成されて該各ストッパを弾性変位可能
にするスリットを有し、前記各凹部の横幅が各ストッパの下端面の横幅よりも小さく設定
されているから、各凹部の両内側面を各ストッパの両傾斜状外側面に押し付けて該各スト
ッパを内側に弾性変位させることにより、クランパの鍔部をスペース内に一定範囲内昇降
可能に配置することができると共に、各ストッパによりクランパの鍔部がスペース外に抜
け出るのを確実に阻止することができる。
【００２２】
請求項４に記載の発明によれば、請求項１に記載の効果と同様の効果を得ることができ
、特に、抜け止め機構として各ストッパの中央に形成されて該各ストッパを弾性変位可能
にするスリットを有し、前記各凹部の横幅が各ストッパの下端面の横幅よりも小さく設定
され、その各凹部の両内側面が上方に向かって先すぼまり状に傾斜されているから、各凹
部の両傾斜状内側面を各ストッパの外側面に押し付けて該各ストッパを内側に弾性変位さ
せることにより、クランパの鍔部をスペース内に一定範囲内昇降可能に配置することがで
きると共に、各ストッパによりクランパの鍔部がスペース外に抜け出るのを確実に阻止す
ることができる。
【００２３】
請求項５に記載の発明によれば、請求項１に記載の効果と同様の効果を得ることができ
、特に、抜け止め機構として各凹部の奥端面に一体突設した弾性片と、前記各ストッパの
中央に形成されて該各ストッパを弾性変位可能にするスリットとを有し、前記各凹部の横
幅が各ストッパの下端面の横幅よりも小さく設定されているから、弾性片を各ストッパの
傾斜状外側面に押し付けて該弾性片と各ストッパとを弾性変位させることにより、クラン
パの鍔部をスペース内に一定範囲内昇降可能に配置することができると共に、弾性片によ
りクランパの鍔部がスペース外に抜け出るのを確実に阻止することができる。
【発明を実施するための最良の形態】
【００２４】
図１〜図５は本発明の第１の実施の形態であるディスク装置を示すものであって、図１
は同平面図、図２は同縦断面図、図３（ａ）は同要部の平面図、図３（ｂ）はＡ−Ａ矢視
図、図３（ｃ）はＢ−Ｂ拡大矢視図、図４は同要部の分解斜視図、図５（ａ）〜（ｃ）は
クランパの組み込み手順を説明する要部の拡大縦断面図である。
【００２５】
図１〜図４に示すように、合成樹脂製円筒部１０の内周面の環状受座１１よりも上方位
置に周方向所定間隔をおいて複数（この実施の形態では３つ）のストッパ２１が一体突設
され、該各ストッパ２１と環状受座１１との間の間隔αがクランパ１２の鍔部１２ａの厚
さｔよりも大きく設定され（α＞ｔ）、その各ストッパ２１に対向して鍔部１２ａに複数
（この実施の形態では３つ）の凹部２２が形成されている。上記以外の構成で図１５及び
図１６に示す構成と同一部分に同一符号を付してその説明を省略する。
【００２６】
前記各ストッパ２１の両外側面２１ａを上方に向かって先すぼまり状に傾斜させること
により、該各ストッパ２１の横断面が台形に形成されている。
【００２７】
前記各凹部２２の奥端面２２ａが各ストッパ２１の端面２１ｂと平行に形成されると共
に、該各凹部２２の内側面２２ｂが各ストッパ２１の外側面２１ａと平行して垂直に形成
されている。
【００２８】
前記各凹部２２の奥端面２２ａに一体突設されて両内側面２２ｂと平行する弾性変位可
能な弾性片（クランパ保持機構）２３が設けられ、前記各凹部２２の横幅ｈ１が各ストッ
パ２１の下端面２１ｃの横幅ｈ２よりも大きく設定される（ｈ１＞ｈ２）と共に、弾性片
２３から両内側面２２ｂまでの間隔ｋ１，ｋ２が各ストッパ２１の下端面２１ｃの横幅ｈ
２よりも小さく設定され（ｋ１，ｋ２＜ｈ２）ている。なお、２４は環状受座１１の各ス
トッパ２１に対向する位置に形成された型抜き用切欠き部である。
【００２９】
クランパ１２の組み込み手順を説明すると、図５（ａ）に示すように、クランパ１２を
指部で把持して円筒部１０内に挿入することにより、図５（ｂ）に示すように、弾性片２
３を各ストッパ２１の傾斜状外側面２１ａに押し付けて弾性変位させることにより、各凹
部２２を各ストッパ２１に嵌合通過させ、図５（ｃ）に示すように、クランパ１２の鍔部
１２ａを環状受座１１と各ストッパ２１との間のスペースＳ内に一定範囲内昇降可能に配
置する。
【００３０】
上記構成によれば、抜け止め機構として各凹部２２の奥端面２２ａに弾性片２３が一体
突設されているから、その弾性片２３を各ストッパ２１の傾斜状外側面２１ａに押し付け
て弾性変位させることにより、クランパ１２の鍔部１２ａをスペースＳ内に一定範囲内昇
降可能に配置することができると共に、その弾性片２３によりクランパ１２の鍔部１２ａ
がスペースＳ外に抜け出るのを確実に阻止することができる。
【００３１】
また、弾性片２３がクランパ１２の凹部２２に付加されており、従来のようにクランパ
１２に抜け止め部品を追加する必要がないから、部品点数が増加せず、コストダウンを図
ることができる。
【００３２】
更に、クランパ１２を円筒部１０内に組み込んでも該円筒部１０を支持する横桁９に負
荷がかからないから、そのクランパ１２を所定位置に保持してそのクランプ機能を良好に
維持することができる。
【００３３】
図６〜図８は本発明の第２の実施の形態であるディスク装置の要部を示すものであって
、図６（ａ）は同要部の平面図、図６（ｂ）はＣ−Ｃ矢視図、図６（ｃ）はＤ−Ｄ拡大矢
視図、図７は同要部の分解斜視図、図８（ａ）〜（ｃ）はクランパの組み込み手順を説明
する要部の拡大縦断面図である。
【００３４】
図６及び図７に示すように、各ストッパ２１の中央に形成されて該各ストッパ２１を弾
性変位可能にするスリット（抜け止め機構）２５を有し、各凹部２２の横幅ｈ１が各スト
ッパ２１の下端面２１ｃの横幅ｈ２よりも小さく設定され（ｈ１＜ｈ２）、その各ストッ
パ２１の両外側面２１ａが上方に向かって先すぼまり状に傾斜されている。上記以外の構
成は図１〜図５に示す構成とほぼ同じであるから、同一部分に同一符号を付してその説明
を省略する。
【００３５】
クランパ１２の組み込み手順を説明すると、図８（ａ）に示すように、クランパ１２を
指部で把持して円筒部１０内に挿入することにより、図８（ｂ）に示すように、各凹部２
２の両内側面２２ｂを各ストッパ２１の両傾斜状外側面２１ａに押し付けて該各ストッパ
２１を弾性変位させることにより、各凹部２２を各ストッパ２１に嵌合通過させ、図８（
ｃ）に示すように、クランパ１２の鍔部１２ａをスペースＳ内に一定範囲内昇降可能に配
置する。
【００３６】
上記構成によれば、図１〜図５に示す第１の実施の形態とほぼ同様の効果を得ることが
でき、特に、各凹部２２の両内側面２２ｂを各ストッパ２１の両傾斜状外側面２１ａに押
し付けて該各ストッパ２１を内側に弾性変位させることにより、クランパ１２の鍔部１２
ａをスペースＳ内に一定範囲内昇降可能に配置することができると共に、各ストッパ２１
によりクランパ１２の鍔部１２ａがスペースＳ外に抜け出るのを確実に阻止することがで
きる。
【００３７】
図９〜図１１は本発明の第３の実施の形態であるディスク装置の要部を示すものであっ
て、図９（ａ）は同要部の平面図、図９（ｂ）はＥ−Ｅ矢視図、図９（ｃ）はＦ−Ｆ拡大
矢視図、図１０は同要部の分解斜視図、図１１（ａ）〜（ｃ）はクランパの組み込み手順
を説明する要部の拡大縦断面図である。
【００３８】
図９及び図１０に示すように、各ストッパ２１の中央に形成されて該各ストッパ２１を
弾性変位可能にするスリット（抜け止め機構）２５を有し、各凹部２２の横幅ｈ１が各ス
トッパ２１の下端面２１ｃの横幅ｈ２よりも小さく設定され（ｈ１＜ｈ２）、該各ストッ
パ２１の両外側面２１ａが垂直線に沿って互いに平行に形成され、各凹部２２の両内側面
２２ｂが所定角度βで上方に向かって先すぼまり状に傾斜されている。上記以外の構成は
図１〜図５に示す構成とほぼ同じであるから、同一部分に同一符号を付してその説明を省
略する。
【００３９】
クランパ１２の組み込み手順を説明すると、図１１（ａ）に示すように、クランパ１２
を指部で把持して円筒部１０内に挿入することにより、図１１（ｂ）に示すように、各凹
部２２の両傾斜状内側面２２ｂを各ストッパ２１の両外側面２１ａに押し付けて該各スト
ッパ２１を弾性変位させることにより、各凹部２２を各ストッパ２１に嵌合通過させ、図
１１（ｃ）に示すように、クランパ１２の鍔部１２ａをスペースＳ内に一定範囲内昇降可
能に配置する。
【００４０】
上記構成によれば、図１〜図５に示す第１の実施の形態とほぼ同様の効果を得ることが
でき、特に、各凹部２２の両傾斜状内側面２２ｂを各ストッパ２１の外側面２１ａに押し
付けて該各ストッパ２１を内側に弾性変位させることにより、クランパ１２の鍔部１２ａ
をスペースＳ内に一定範囲内昇降可能に配置することができると共に、各ストッパ２１に
よりクランパ１２の鍔部１２ａがスペースＳ外に抜け出るのを確実に阻止することができ
る。
【００４１】
図１２〜図１４は本発明の第４の実施の形態であるディスク装置の要部を示すものであ
って、図１２（ａ）は同要部の平面図、図１２（ｂ）はＧ−Ｇ矢視図、図１２（ｃ）はＨ
−Ｈ拡大矢視図、図１３は同要部の分解斜視図、図１４（ａ）〜（ｃ）はクランパの組み
込み手順を説明する要部の拡大縦断面図である。
【００４２】
図１２及び図１３に示すように、各凹部２２の奥端面２２ａに一体突設した弾性変位可
能な弾性片（抜け止め機構）２３と、各ストッパ２１の中央に形成されて該各ストッパ２
１を弾性変位可能にするスリット（抜け止め機構）２５とを有し、各凹部２２の横幅ｈ１
が各ストッパ２１の下端面２１ｃの横幅ｈ２よりも大きく設定される（ｈ１＞ｈ２）と共
に、弾性片２３から各凹部２２の両内側面２２ｂまでの間隔ｋ１，ｋ２が各ストッパ２１
の下端面２１ｃの横幅ｈ２よりも小さく設定され（ｋ１，ｋ２＜ｈ２）、その各ストッパ
２１の両外側面２１ａが上方に向かって先すぼまり状に傾斜されている。上記以外の構成
は図１〜図５に示す構成とほぼ同じであるから、同一部分に同一符号を付してその説明を
省略する。
【００４３】
クランパ１２の組み込み手順を説明すると、図１４（ａ）に示すように、クランパ１２
を指部で把持して円筒部１０内に挿入することにより、図１４（ｂ）に示すように、弾性
片２３を各ストッパ２１の傾斜状外側面２１ａに押し付けて該弾性片２３と各ストッパ２
１とを弾性変位させることにより、各凹部２２を各ストッパ２１に嵌合通過させ、図１４
（ｃ）に示すように、クランパ１２の鍔部１２ａをスペースＳ内に一定範囲内昇降可能に
配置する。
【００４４】
上記構成によれば、図１〜図５に示す第１の実施の形態とほぼ同様の効果を得ることが
でき、特に、弾性片２３を各ストッパ２１の傾斜状外側面２１ａに押し付けて該弾性片２
３と各ストッパ２１とを弾性変位させることにより、クランパ１２の鍔部１２ａをスペー
スＳ内に一定範囲内昇降可能に配置することができると共に、弾性片２３によりクランパ
１２の鍔部１２ａがスペースＳ外に抜け出るのを確実に阻止することができる。
【図面の簡単な説明】
【００４５】
【図１】本発明の第１の実施の形態であるディスク装置を示す平面図である。
【図２】同縦断面図である。
【図３】（ａ）は同要部の平面図、（ｂ）はＡ−Ａ矢視図、（ｃ）はＢ−Ｂ拡大矢視図である。
【図４】同要部の分解斜視図である。
【図５】（ａ）〜（ｃ）はクランパの組み込み手順を説明する要部の拡大縦断面図である。
【図６】（ａ）は本発明の第２の実施の形態であるディスク装置の要部の平面図、（ｂ）はＣ−Ｃ矢視図、（ｃ）はＤ−Ｄ拡大矢視図である。
【図７】同要部の分解斜視図である。
【図８】（ａ）〜（ｃ）はクランパの組み込み手順を説明する要部の拡大縦断面図である。
【図９】（ａ）は本発明の第３の実施の形態であるディスク装置の要部の平面図、（ｂ）はＥ−Ｅ矢視図、（ｃ）はＦ−Ｆ拡大矢視図である。
【図１０】同要部の分解斜視図である。
【図１１】（ａ）〜（ｃ）はクランパの組み込み手順を説明する要部の拡大縦断面図である。
【図１２】（ａ）は本発明の第４の実施の形態であるディスク装置の要部の平面図、（ｂ）はＧ−Ｇ矢視図、（ｃ）はＨ−Ｈ拡大矢視図である。
【図１３】同要部の分解斜視図である。
【図１４】（ａ）〜（ｃ）はクランパの組み込み手順を説明する要部の拡大縦断面図である。
【図１５】従来例を示す平面図である。
【図１６】同縦断面図である。
【符号の説明】
【００４６】
２          ローダーシャーシ
２ａ        ローダーシャーシの側板
３          光ピックアップ
４          ターンテーブル
９          横桁
１０        円筒部
１１        環状受座
１１ａ      環状受座の中央孔
１２        クランパ
１２ａ      クランパの鍔部
２１        ストッパ
２１ａ      ストッパの外側面
２１ｃ      ストッパの下端面
２２        凹部
２２ａ      凹部の奥端面
２２ｂ      凹部の内側面
２３        弾性片（抜け止め機構）
２５        スリット（抜け止め機構）
Ｄ          ディスク
Ｓ          スペース
α          環状受座とストッパとの間の間隔
ｔ          鍔部の厚さ
ｈ１        凹部の横幅
ｈ２        ストッパの下端面の横幅
ｋ１，ｋ２  弾性片から凹部の内側面までの間隔
【図１】
2009272012.tif 000003
【図２】
2009272012.tif 000004
【図３】
2009272012.tif 000005
【図４】
2009272012.tif 000006
【図５】
2009272012.tif 000007
【図６】
2009272012.tif 000008
【図７】
2009272012.tif 000009
【図８】
2009272012.tif 000010
【図９】
2009272012.tif 000011
【図１０】
2009272012.tif 000012
【図１１】
2009272012.tif 000013
【図１２】
2009272012.tif 000014
【図１３】
2009272012.tif 000015
【図１４】
2009272012.tif 000016
【図１５】
2009272012.tif 000017
【図１６】
2009272012.tif 000018